Podtech/llm-jp-corpus-v4-ja_patent huggingface dataset:
(57)【要約】      （修正有）【課題】工作物サイズ・工作目的に合わせて架台幅を調整できるＶブロックを提供する。【解決手段】２個のＶ溝プレート１を必要寸法に応じたスペーサー２で平行に取り付け、締め付けネジ３で固定する。工作物サイズが変わる都度その工作目的に応じたサイズのＶブロックを数あるＶブロックの中から選別する必要がなくなり、スペーサ２の長さを調整することにより、効率的な工作が可能となる。【選択図】図１
0003152328.tif 000002
【実用新案登録請求の範囲】
【請求項１】
幅間隔の変更可能なＶブロック
【考案の詳細な説明】
【技術分野】
【０００１】
本考案は、工作物のサイズに合わせて架台幅を調整出来るＶブロックに関するものである。
【背景技術】
【０００２】
従来の角度ブロックは使用目的に対して幅固定Ｖブロックとして充分実用に供していた。
【０００３】
しかし、従来は幅固定Ｖブロックが主流であり使用目的により多くのＶブロックを必要とする為にその管理の効率が悪かった。
【特許文献１】登録実用新案第３０９１０１２号
【考案の開示】
【考案が解決しようとする課題】
【０００４】
解決しようとする問題点は、被工作物のサイズに応じてＶブロックを交換する必要がある点である。
【課題を解決するための手段】
【０００５】
本考案は、２個のＶ溝プレートを平行にスペーサーで取り付ける事により、そのスペーサーの長さに応じてその角度ブロックの幅を変える事を可能にすることを最も主要な特徴とする。
【考案の効果】
【０００６】
本考案の角度ブロックは２個のＶ溝プレートと必要な幅のスペーサーが有れば自由にその幅を可変出来る為に角度ブロックを数多く取り揃えなくても良い利点がある。
【実施例１】
【０００７】
図１は、本考案幅可変型Ｖブロックの装置の全体図である。
【０００８】
本体１はＶ溝プレートを２個平行に取り付けられるようにスペーサー取り付け用穴加工したものである。その本体１にスペーサー２を取り付け締め付けネジ３で固定する。
【図面の簡単な説明】
【０００９】
【図１】本考案幅可変型Ｖブロックの全体図である。
【符号の説明】
【００１０】
１    本体
２    スペーサー
３    スペーサー止めネジ
【図１】
0003152328.tif 000003
【手続補正書】
【提出日】平成21年5月27日(2009.5.27)
【手続補正１】
【補正対象書類名】実用新案登録請求の範囲
【補正対象項目名】請求項１
【補正方法】変更
【補正の内容】
【請求項１】
２枚のVブロック板（１）をスペーサー（２）で連結することにより、Vブロックの機能をはたす構造で、様々な幅のスペーサーを用いることにより希望の幅のVブロックを作る事の出来ることを特徴としたVブロック。
(57)【要約】      （修正有）【課題】紙や鉛筆が抜け落ちるのを防ぐため、市販のパンチの爪に合せ爪を付けたパンチバサミを提供する。【解決手段】用箋バサミ２から鉛筆や紙３が左右にゆれ鉛筆を抜く時に一緒に紙も抜け落ちることを防ぐため爪６を付け、市販されているパンチの爪に寸法を合せる。又記入中に鉛筆の芯が折れることに対応して金具の側面に鉛筆けずり７を付ける。ハサミを開けるのが容易になる様に金具にハンドル９を取り付ける。【選択図】図３
0003152330.tif 000002
【実用新案登録請求の範囲】
【請求項１】
用箋バサミの金具に用紙抜け落ち防止用の爪を２本間隔をあけて設けたパンチバサミ。
【請求項２】
２本の爪はパンチの役目をする様に２本の爪に合せて敷台にも穴を明けた請求項１に記載のパンチバサミ。
【請求項３】
鉛筆を差し込む部分の用箋バサミの金具に生ゴムを付けた請求項１に記載のパンチバサミ。
【請求項４】
用箋バサミの金具の側面に鉛筆けづりを付けた請求項１に記載のパンチパサミ。
【請求項５】
用箋用の金具にハサミの開閉用のハンドルを設けた請求項１に記載のパンチバサミ
【考案の詳細な説明】
【技術分野】
【０００１】本考案はパンチ付用箋バサミとして使用出来る様ハサミの内側に市販のパンチ穴に合せた爪を２つ付け敷台にも紙が少しづつであれば穴が明く様に作るパンチバサミである。
【背景の技術】
【０００２】市販の用箋バサミを使用していたが鉛筆や紙が抜け落ちバラバラに成って困ったので何度差し込むことがあり鉛筆を差し込む金具にすべり止めの生ゴムを付けることを考えた。
【考案が解決しょうとする課題】
【０００３】鉛筆を押えるところの針金１本での揚合は、鉛筆が左右にぐらつき紙も同じ様にくらついてよく落下するのを防ぐ様に鉛筆を差し込むところを溝にして生ゴムを貼り鉛筆巾に合せぐらつきを防ぐ。
【課題を解決する手段】
【０００４】本考案は紙や鉛筆の落下を防ぐため爪を設けたり鉛筆の差し込む溝にすべり止の生ゴムを貼り、又使用中に鉛筆の芯が折れた時すぐに使える様に金具の側面に鉛筆けづりを付けたり、又金具にハンドルを付けハサミを開ける時に楽に開ける様にし、又壁などにぶら下ける様に穴を明け、又見やすく使いやすくした。
【考案の効課】
【０００５】本考案は紙や鉛筆の抜け落ち防止するとともに鉛筆けづりまで取付壁にも掛けやすく、又整理整頓が楽になり使いやすくした。
【図面の簡単な説明】
【０００６】
【図１】パンチバサミ本体の姿図
【図２】パンチバサミ正面図
【図３】用紙をはさんだ側面図
【図４】パンチバサミの要部拡大平面図
【図５】ハサミを閉じた側面図
【考案実施するための形態】
【０００７】以下添付図に従って１は耐久性のプラスチック等軽くて丈夫な素材を選び、２はステン性で錆びなく使いやすくする、５は生ゴムを使用してすべりを防ぐ、６はパンチの匁でありハガネを使用、７は鉛筆けづりであり、これは市販されている品物で小型のを入れ込む、８は用箋バサミの心蔵部でありバネを使用、他は鉄と但し安価で加工しやすいのを選ぶ。
【符号の説明】
【０００８】  １  パンチバサミ
２  用箋バサミ
３  用紙
４  鉛筆
５  鉛筆差しすべり止めゴム
６  パンチの爪
７  鉛筆けづり
８  本体の心蔵部のバネ
９  パンチを開けやすくするハンドル
１０  金具を本体に止める４本の鋲
１１  パンチの穴
【図１】
0003152330.tif 000003
【図２】
0003152330.tif 000004
【図３】
0003152330.tif 000005
【図４】
0003152330.tif 000006
【図５】
0003152330.tif 000007
(57)【要約】      （修正有）【課題】海上に設置する浮体式灯標とシンカーとの接続の如く、高荷重低速揺動が要求される部分に適したユニバーサルジョイントを提供する。【解決手段】海底に固定されたシンカーにユニバーサルジョイントの下のベース１が接続され、上のベース１に可動体である、例えば浮体式灯標を連結する。ユニバーサルジョイントは、ベース１、円柱状のセンターブロック２、及び該センターブロック２とベース１を接続するためのピン３、ピン３とセンターブロックを円滑に動作させるためのスリープ４及びワッシャ５で構成する。上記のスリープ４及びワッシャ５には、無給油軸受を使用する。【選択図】図１
0003152322.tif 000002
【実用新案登録請求の範囲】
【請求項１】
センターブロックとピンの間にオイレスメタルを使ったスリープとワッシャを利用することで、水中でも高荷重低速揺動部に耐摩耗性が良く、間欠運動、揺動運動、往復運動に適したユニバーサルジョイント。
【請求項２】
センターブロックを円柱にし、ベースとの接触面を減らすことで、スムーズな動作となり、ひねり荷重にも適したユニバーサルジョイント。
【考案の詳細な説明】
【技術分野】
【０００１】
本考案は、高荷重低速揺動に適したユニバーサルジョイントに関するものである。
【背景技術】
【０００２】
海上には、船に航路を知らせるための浮体式灯標があり、灯器や通信設備が装備されている。浮体式灯標は、水面上、約9mに灯器や通信設備を装備され、水深15mから30mくらいの海底に設置する。波の流れに耐えるように可動可能なユニバーサルジョイントがシンカーとの接続に利用される。
【先行技術文献】
【非特許文献】
【０００３】
【非特許文献１】合田良實著「港湾構造物の耐波設計」鹿島出版会
【非特許文献２】関田欣治著「海洋構造物」成山堂書店
【考案の概要】
【考案が解決しようとする課題】
【０００４】
海上に設置する浮体式灯標は、波や潮の流れにより、常時、力がかかっている。いろんな方向からの波による力に耐えるように、シンカーとの接続にユニバーサルジョイントが使われる。ユニバーサルジョイントは、長期間の係留により、摩擦による磨耗やねじれが生じやすくなる。
【課題を解決するための手段】
【０００５】
本考案は、ユニバーサルジョイントのスリープとワッシャにオイレスメタルを使い、ピンとスリープ間の摩擦を減らす。
【０００６】
センターブロックを円柱とすることで、ベースとの接触を減らし、ねじれを少なくする。
【考案の効果】
【０００７】
本考案により、ユニバーサルジョイントが長期間の高荷重低速揺動に耐えることが可能となる。
【図面の簡単な説明】
【０００８】
【図１】１は、ベースである。２は、センターブロックである。３は、センターブロックとベースを接続するためのピンである。４は、ピンとセンターブロックを円滑に動作させるためのスリープであり、５はワッシャである。
【考案を実施するための形態】
【０００９】
海底に設置されるシンカーと上部に浮力を持った構造物を接続し、係留を可能にする。
【実施例１】
【００１０】
海底に設置されるシンカーに下のベースが接続され、上のベースに浮体式灯標が接続される。
【産業上の利用可能性】
【００１１】
海上で設置され、係留される構造物に利用が可能である。
【符号の説明】
【００１２】
１  ベース
２  センターブロック
３  ピン
４  スリープ
５  ワッシャ
【図１】
0003152322.tif 000003
【手続補正書】
【提出日】平成21年5月21日(2009.5.21)
【手続補正１】
【補正対象書類名】明細書
【補正対象項目名】全文
【補正方法】変更
【補正の内容】
【考案の詳細な説明】
【技術分野】
【０００１】本考案は、高荷重低速揺動に適したユニバーサルジョイントに関するものである。
【背景技術】
【０００２】海上には、船に航路を知らせるための浮体式灯標があり、灯器や通信設備が装備されている。浮体式灯標は、水面上、約9mに灯器や通信設備を装備され、水深15mから30mくらいの海底に設置する。波の流れに耐えるように可動可能なユニバーサルジョイントがシンカーとの接続に利用される。
【先行技術文献】
【非特許文献】
【０００３】
【非特許文献１】合田良實著「港湾構造物の耐波設計」鹿島出版会
【非特許文献２】関田欣治著「海洋構造物」成山堂書店
【考案の概要】
【考案が解決しようとする課題】
【０００４】海上に設置する浮体式灯標は、波や潮の流れにより、常時、力がかかっている。いろんな方向からの波による力に耐えるように、シンカーとの接続にユニバーサルジョイントが使われる。ユニバーサルジョイントは、長期間の係留により、摩擦による磨耗やねじれが生じやすくなる。
【課題を解決するための手段】
【０００５】本考案は、ユニバーサルジョイントのスリープとワッシャに無給油軸受を使い、ピンとスリープ間の摩擦を減らす。【０００６】センターブロックを円柱とすることで、ベースとの接触を減らし、ねじれを少なくする。
【考案の効果】
【０００７】本考案により、ユニバーサルジョイントが長期間の高荷重低速揺動に耐えることが可能となる。
【図面の簡単な説明】
【０００８】
【図１】１は、ベースである。２は、センターブロックである。３は、センターブロックとベースを接続するためのピンである。４は、ピンとセンターブロックを円滑に動作させるためのスリープであり、５はワッシャである。
【考案を実施するための形態】
【０００９】海底に設置されるシンカーと上部に浮力を持った構造物を接続し、係留を可能にする。
【実施例１】
【００１０】海底に設置されるシンカーに下のベースが接続され、上のベースに浮体式灯標が接続される。
【産業上の利用可能性】
【００１１】  海上で設置され、係留される構造物に利用が可能である。
【符号の説明】
【００１２】１  ベース２  センターブロック３  ピン４  スリープ５  ワッシャ
【手続補正２】
【補正対象書類名】実用新案登録請求の範囲
【補正対象項目名】全文
【補正方法】変更
【補正の内容】
【実用新案登録請求の範囲】
【請求項１】
センターブロックとピンの間に無給油軸受を使ったスリープとワッシャを利用することで、水中でも高荷重低速揺動部に耐摩耗性が良く、間欠運動、揺動運動、往復運動に適したユニバーサルジョイント。
【請求項２】
センターブロックを円柱にし、ベースとの接触面を減らすことで、スムーズな動作となり、ひねり荷重にも適していることを特徴とする請求項１記載のユニバーサルジョイント。
(57)【要約】      （修正有）【課題】奇抜な表情の目をプリントした合成樹脂シートを切り抜いて形成することで、この眼鏡を掛けると相手がビックリ仰天する様子を覗き孔から楽しめる玩具眼鏡を提供する。【解決手段】透明な合成樹脂シート１上に、レンズ部２とその中に目３が描かれた眼鏡の図４をプリントし、この眼鏡の図を上記合成樹脂シート１から切り抜いて、弦５の部分を後方へ折り曲げて形成した玩具眼鏡Ａを構成する。この玩具眼鏡Ａレンズ部２に描かれた目３は、奇抜な表情の大きいものとし、眼球部６の瞳部７に色付きの透視シート８を取り付ける。【選択図】図２
0003152370.tif 000002
【実用新案登録請求の範囲】
【請求項１】
透明な合成樹脂シートにレンズ部に目が描かれた眼鏡の図をプリントし、この眼鏡の図を上記合成樹脂シートから切り抜いて、弦の部分を後方へ折り曲げて形成した玩具眼鏡であって、上記レンズ部にプリントされた目の眼球部の瞳部には着色された透視シートを貼り付けたことを特徴とする玩具眼鏡。
【考案の詳細な説明】
【技術分野】
【０００１】
本考案は、子供が楽しく遊べる玩具眼鏡に関するものである。
【背景技術】
【０００２】
従来、模造の目と眉毛を眼鏡に取り付け、紐の操作で上がり目にしたり下がり目にしたりすることにより表情の変化を観客を楽しませる余興用の眼鏡は（例えば特許文献１）により知られている。
【０００３】
しかしながら、上記のように模造の目と眉毛を上げ下げして表情を変化させる構造は複雑で高価であって子供にはかんたんには買えないものであった。
【先行技術文献】
【特許文献】
【０００４】
【特許文献１】実開平５−４１５９６号公報
【考案の概要】
【考案が解決しようとする課題】
【０００５】
解決しようとする課題は、目がプリントされていて面白い表情を表現することができ、子供にも入手しやすい玩具眼鏡を提供することはできない点である。
【課題を解決するための手段】
【０００６】
本考案の玩具眼鏡は、透明な合成樹脂シートにレンズ部に目が描かれた眼鏡の図をプリントし、この眼鏡の図を上記合成樹脂シートから切り抜いて、弦の部分を後方へ折り曲げて形成した玩具眼鏡であって、上記レンズ部にプリントされた目の眼球部の瞳部には着色された透視シートを貼り付けたことを特徴とする。
【考案の効果】
【０００７】
本考案の玩具眼鏡は、眼鏡のレンズ部に奇抜な表情で大きい目をプリントすることができるから、この眼鏡を掛けると、見た者が仰天する様子を瞳部に取り付けた色付けシートを通して相手に悟られず眺めて楽しむことができて、しかも、合成樹脂シートに眼鏡の図をプリントして切り抜き、瞳部に着色された透視シートを貼り付けることで形成される簡単な構造であるため、子供が求め易い価格で製作できて、軽くて取り扱いから安全に楽しく遊べる効果を有する。
【図面の簡単な説明】
【０００８】
【図１】本考案に係る玩具眼鏡を示す斜視図。
【図２】（ａ）（ｂ）は、眼鏡の図をプリントした合成樹脂シートの表面図と、この合成樹脂シートから切り抜いた玩具眼鏡の裏面図を示す。
【図３】同上玩具眼鏡の複数をホルダーに支持させた状態を示す正面図。
【図４】ホルダーに支持させた玩具眼鏡を納めた包装袋を示す正面図。
【図５】（ａ）（ｂ）（ｃ）（ｄ）は、玩具眼鏡のレンズ部に描かれた図１とは異なる目が描かれた玩具眼鏡の例を示す正面図。
【考案を実施するための形態】
【０００９】
本考案に係る玩具眼鏡は、合成樹脂シートに眼鏡の図をプリントして切り抜き、弦の部分を後方へ折り曲げて形成したものである。
【００１０】
以下に本考案に係る玩具眼鏡の実施例を示す。この実施例の玩具眼鏡Ａは、図１に示す通り、レンズ部に目が描かれ、目の眼球部６の瞳部７には着色された透視シートを貼り付けたもので、図２（ａ）に示されるように、透明な合成樹脂シート１にレンズ部２に目３が描かれた眼鏡の図４がプリントされ、この眼鏡の図４を上記合成樹脂シート１から図２（ｂ）のように切り抜き、弦５の部分を図１に示す通り後方へ折り曲げて形成したものである。
【００１１】
上記玩具眼鏡Ａのレンズ部２に描かれた目３は、図１及び図５（ａ）（ｂ）（ｃ）（ｄ）に示すように、奇抜な表情をした大きなものであって、眼球部６の瞳部７は透明のまま（透孔であってもよい）で、この瞳部７の裏側には、サングラスのように着色した透視シート８が貼り付けられている。なお、瞳を構成する透視シート８は予めフィルム状の基材上に貼り付けておき、適宜剥して使用することができるようにしておけばよい。
【００１２】
この実施形態では、透明の合成樹脂シート１としてポリプロピレンシートを用い、色付けした透視シート８としてはポリエチレンを用いたが、材料はこれら以外の合成樹脂シートを用いても差し支えない。
【００１３】
上記の通り構成される玩具眼鏡Ａは、その1個又は複数を図３に示す通りホルダー９に支持させて、図４に示す通り透視窓１０を設けた包装袋１１の中へ入れて販売し、子供が透視窓１０から中の玩具眼鏡Ａを見て好きなものを選んで求められるようにする。そして、包装袋１１には、別室１２を設けてこの別室１２には菓子１３等を入れることが好ましい。
【００１４】
上記玩具眼鏡Ａで遊ぶには、遊び友達の前でこの玩具眼鏡Ａを掛けると、透明な眼球部６の瞳部７は、色付けした透視シート８で覆われているので、遊び友達には本人の目が見えない。このため、遊び友達は、レンズ部２に描かれた奇抜で大きな目３に変わってしまったものと感じてビックリ仰天するから、玩具眼鏡Ａを掛けた本人は、この驚く有様を色付きシート８を通して眺めて大いに満悦することができる。
【００１５】
また、この玩具眼鏡Ａは、透明な合成樹脂シート１に眼鏡の図4をプリントしたものを切り抜いて形成するので、子供が求め易い価格で製作することができて、軽くて取り扱い易いため、安全に楽しく遊ぶことができる特徴も有する。
【産業上の利用可能性】
【００１６】
子供が面白く安全に遊べる玩具眼鏡を求め易い価格で提供することが可能となる。
【符号の説明】
【００１７】
Ａ    玩具眼鏡
１  透明裏面片
２    レンズ部
３    目
４    眼鏡の図
５    弦
６    眼球部
７    瞳部
８    色付きシート
【図１】
0003152370.tif 000003
【図２】
0003152370.tif 000004
【図３】
0003152370.tif 000005
【図４】
0003152370.tif 000006
【図５】
0003152370.tif 000007
(57)【要約】【課題】消費者の個性や価値観を生かすことのできる選択肢を増やす目的として、ハート型の形状をしたテーブルクロスを提供する。【解決手段】ハート型の形状を作るため、クロス中心部となる小さなハート型の部分と、その周りに、適正に繋ぎ合わせたハート型の形状をしたクロスのテーブル垂れ下がり部分とで、クロス全体をハート型の形状にすることにより、この問題は解決する。【選択図】図１
0003152363.tif 000002
【実用新案登録請求の範囲】
【請求項１】
ハート型の形状をしたテーブルクロス。
【請求項２】
クロス中心部となる小さなハート型の部分と、その周りに、適正に繋ぎ合わせたハート型の形状をしたクロスのテーブル垂れ下がり部分とで、クロス全体をハート型の形状にしたテーブルクロス。
【考案の詳細な説明】
【技術分野】
【０００１】
本考案は、披露宴時をはじめ各種パーティーなどに使用するテーブルクロスの形状に関する。
【背景技術】
【０００２】
従来のテーブルクロスでは、テーブル天板の形に応じて大小はあるものの、円形型や四角形型のものが多く用いられていた。
【考案の概要】
【考案が解決しようとする課題】
【０００３】
独創性を生かすことのできる現代社会において、テーブルクロスの分野では、既成観念に基づいた製品として、従来からある円形型や四角形型のテーブルクロスが使用されることが多い。消費者の個性や価値観が多様化するなかで、独創性のあるテーブルクロスが存在しない。
【課題を解決するための手段】
【０００４】
そこで、この問題を解決するため、消費者の個性や価値観を生かすことのできる選択肢を増やす目的として、ハート型の形状をしたテーブルクロスを提供する。
【考案の効果】
【０００５】
ハート型という形状は、多くの国において、平和を象徴するシンボルマークとして周知され、また、大切にもされている。更には、幸福を意味するものの形状として利用されており、特に祝い事をはじめ、平和的行事には絶大的な効果を生じる。
【図面の簡単な説明】
【０００６】
【図１】本考案に係るハート型の形状をしたテーブルクロスの平面図である。
【図２】本考案に係るハート型の形状をしたテーブルクロスを使用したときの斜視図である。実践の部分は、その形状を表し、破線の部分は、クロスをかけたテーブル脚を表している。
【考案を実施するための形態】
【０００７】
本考案に係るハート型の形状をしたテーブルクロスは、図１に示すように、クロス中心部にハート型の形状を備えている。そこで、本考案に係るハート型の形状をしたテーブルクロスを使用する際、クロス同様、クロスをかけるテーブルにおいても、テーブル天板がハート型の形状をしたテーブルを使用することが望ましい（図２を参照）。
【０００８】
本考案に係るハート型の形状をしたテーブルクロスのクロス中心部に位置するハート型の形状や大きさは、クロスをかけるテーブル天板の状態により決めればよい。
【０００９】
本考案に係るハート型の形状をしたテーブルクロスに使用する生地の素材は、綿やポリエステル、不織布が望ましく、会場や場の雰囲気に合った上品な素材であれば、他でもよい。また、フッ素加工や静電気防止、ビニールコーティング、防汚加工、撥水加工などにより、汚れが付きにくく、万が一汚れても汚れが落ちやすいものが望ましい。
【００１０】
本考案に係るハート型の形状をしたテーブルクロスに使用する生地の色や柄は、高級感と上品な雰囲気のあるものが望ましいが、ただし、会場や場の雰囲気を考慮した上で、それに合った適当なものあれば、他でもよい。
【符号の説明】
【００１１】
１      クロス中心部となる小さなハート型の部分
２      ハート型の形状をしたクロスのテーブル垂れ下がり部分
【図１】
0003152363.tif 000003
【図２】
0003152363.tif 000004
(57)【要約】      （修正有）【課題】ペットの糞、ごみ等の処理が出来、携帯出来る持ち手付きの二重袋を提供する。【解決手段】外袋と該外袋より底の浅い内袋とから成り、それぞれの開口部において適宜固定手段に拠り着脱可能に結合でき、前記外袋の開口部に取っ手を設けるとともに下方側面に切り込み口を設け、底部にロール状袋を収納することを特徴とする。【選択図】図１
0003152348.tif 000002
【実用新案登録請求の範囲】
【請求項１】
外袋と該外袋より底の浅い内袋とから成り、それぞれの開口部において適宜固定手段に拠り着脱可能に結合でき、前記外袋の開口部に取っ手を設けるとともに下方側面に切り込み口を設け、底部にロール状袋を収納する二重袋。
【考案の詳細な説明】
【技術分野】
【０００１】本考案は、ペットの糞、ゴミ等を処理する袋に関するものである。
【背景技術】
【０００２】従来の袋には仕切りと取り出し口を施したものがある、以下、おむつ、失禁用品入れの袋に付いて説明する。おむつ、失禁パットなどを入れ、携帯する時の袋で外面から、おむつ、パットなどが抜き取れる、又それらに必要な衣類なども、入れられ整理整頓のしやすい取り出し口のついた、おむつ、失禁用品入れの袋で、さげてをつけた袋。
【先行技術文献】
【０００３】
【特許文献１】実開平８−１２７９号公報
【考案の概要】
【考案が解決しようとする課題】
【０００４】従来の袋では、ロール状袋の収納場所がない。
【課題が解決する為の手段】
【０００５】外袋と該外袋より底の浅い内袋とから成り、それぞれの開口部において適宜固定手段に拠り着脱可能に結合でき、前記外袋の開口部に取っ手を設けるとともに下方側面に切り込み口を設け、底部にロール状袋を収納場所を作り、ペットの糞、ゴミ等を処理する時、その切り込みより袋を取り出して使用。
【考案の効果】
【０００６】ペットの糞、ゴミ等を処理する時、速やかにロール状袋を取り出して処理出来、外見から中身が見えず便利で使い易い持ち歩く事の出来る袋。
【図面の簡単な説明】
【０００７】
【図１】正面図
【図２】断面図
【実施例】
【０００８】ペットの散歩時に糞、ゴミ等を捨収する時、外袋本体１の取り出し口２よりロール状袋５を取り出し、処理し処理済み袋は、内袋４に入れ持ち手３で持ち歩く事が出来、外見から中身が見えることがない。処理済み袋は、外袋本体１と内袋４の結合部６を離す事で手を汚さず捨てる事が出来る。ロール状袋５の幅１５ｃｍの場合切り込み口２は、８ｃｍ、幅２０ｃｍの場合は、１２ｃｍとする。
ロール状袋は、ビニール・ペットシート・紙つきビニールなど利用出来る。
結合部は、マジックテープ・ホック・ボタン・ファスナーなど利用出来る。
【符号の説明】
【０００９】１．外袋本体
２．切り込み口
３．持ち手
４．内袋
５．ロール状袋
６．結合部
【図１】
0003152348.tif 000003
【図２】
0003152348.tif 000004
(57)【要約】      （修正有）【課題】金蔵のコイルバネを使うことなく、自在に髪をとめることができ、かつ生産性に秀れたヘアクリップを提供する。【解決手段】ギリシャ文字のオメガ（Ω）状に成形した板状の弾性体の中央開口部に、オメガ（Ω）形状の水平部分から開口中央部に向かって一対の二本の歯を持った板状体を対向させて固定し、該ヘアクリップを構成する。使用に当たっては、弾性部分を曲げて歯の部分を開き、上記中央開口部より毛髪を通し、弾性体を元に戻せば歯及び弾性体が毛髪を包むようにはさんで固定する。【選択図】図１
0003152345.tif 000002
【実用新案登録請求の範囲】
【請求項１】
板状の弾性体に髪をはさむための向かいあった歯をつけたヘアクリップ
【考案の詳細な説明】
【技術分野】
【０００１】この考案は毛髪をとめるためのヘアクリップに関する。
【背景技術】
【０００２】従来のヘアクリップは２つの歯のついた板状のものを芯棒で支え、金属のコイルバネで、はさむ力を保持する構造になっている。
【考案の開示】
【考案が解決しようとする課題】
【０００３】従来のヘアクリップでは芯棒にバネを通して、２つの歯を固定するという熟練技術が必要な工程があるため、量産がむずかしい。
【課題を解決するための手段】
【０００４】［図１］の板状の弾性体に向かいあった髪をはさむための歯をつけたヘアクリップを提供する。
【考案の効果】
【０００５】［図２］のように弾性体部分を曲げて歯の部分を開き、［図３］のように毛髪をとおし、［図４］のように弾性体をもとにもどせば、歯および弾性体が毛髪をつつむようにはさんで固定することができる。
【実施例】
【０００６】［図１］［図２］［図３］［図４］のように金属のコイルバネを使うことなく自在に髪をとめることができる。
【産業上の利用可能性】
【０００７】本考案のヘアクリップは型抜き、型押しでも製作できる。また熟練を要するバネ入れの工程がないので、生産が簡単にできる。
【図面の簡単な説明】
【０００８】
【図１】本考案のヘアクリップ
【図２】本考案のヘアクリップの歯を起こした図
【図３】本考案のヘアクリップで毛髪をはさんだ図
【図４】本考案のヘアクリップで歯をたおして毛髪をとめた図
【図１】
0003152345.tif 000003
【図２】
0003152345.tif 000004
【図３】
0003152345.tif 000005
【図４】
0003152345.tif 000006
(57)【要約】      （修正有）【課題】手動ハンドルにより水門扉を開閉する際、簡単かつ迅速に水門扉を開閉することが出来る水門扉の開閉装置を提供する。【解決手段】水門扉の手動ハンドル７を廻す際に、電動機の駆動プーリー３と手動ハンドル７との接触部にスリップが少なく容易に取り付けられる平ベルトを伝導ベルト４として使用した。上記機構によれば、可搬式電動機構を手動ハンドルに係合させて可搬式電動機構により手動ハンドルを回転させることで水門扉の開閉が電動化される。この水門扉の開閉装置は既に設備されている機械、機構を分解することなく容易に取付が出来ることと、小さな動力で操作が可能である。【選択図】図１
0003152341.tif 000002
【実用新案登録請求の範囲】
【請求項１】
水路に設けた昇降が自在な水門扉と、この水門扉を開閉操作する手動ハンドルとを備えた水門扉において、手動ハンドルを回転駆動する可搬式電動機構を設けたことを特徴とする水門扉の開閉装置。
【請求項２】
前記可搬式電動機構に電動機と手動ハンドルの間をベルトで構成したことを特徴とする請求項１記載の水門扉の開閉装置。
【請求項３】
前記手動ハンドルを備えた水門扉において、水門扉を開閉操作をする際に、電動モーターと操作スイッチに正回転並び逆回転が可能なものを使用することにより、手動ハンドルを離脱することを必要としないことを特徴とする請求項１または２記載の水門扉の開閉装置。
【考案の詳細な説明】
【技術分野】
【０００１】本考案は、河川水路、農業用水路、あるいは浄水場、下水処理場等の各種水路に設置される水門扉の開閉装置に関する。
【背景技術】
【０００２】各種水路に設置される水門扉は、扉体の昇降により水路を開閉するものであるが、水門扉を昇降する機構として手動ハンドルを回転操作する比較的容易な構造のものが知られているが、電動により水門扉を昇降させる構造のものが比較的多く用いられている。また、電動開閉式水門扉は、洪水などの際に水門扉を駆動する電動モーターが水没した場合に、電気的なトラブルによって水門扉を昇降できない場合がある。このために電動開閉式水門扉においても、手動により水門扉の扉体の昇降操作が可能とするため、補助的に手動で操作するハンドルを備え、電動モーターが故障した場合、ハンドルを手動により回転させて水門扉の開閉を可能とする水門扉も知られている。しかし、手動によりハンドルを回転させて水門扉を開閉する作業は重労働であるとともに、水門扉の開閉に時間がかかり、水害などの緊急時において迅速に対応することが出来ない。
これらを解決するためのものとして、手動ハンドルを取り外して開閉装置を取り付ける方法や、手動ハンドルに回転装置を取り付けるものなどが考えられているが、いずれも、取り付けに時間がかかるとともに容易に出来ず、万能性にも欠ける。【０００３】本考案は、このような課題を解決しようとするものであり、手動ハンドルにより水門扉を開閉する際、簡単かつ迅速に水門扉を開閉することが出来る水門扉の開閉装置を提供することを目的とする。
【問題を解決するための手段】
【０００４】請求項１の発明の水門扉の開閉装置は、水路に設けた昇降が自在な水門扉と、この水門扉を開閉操作する手動ハンドルに回転駆動する可搬式電動機構を設けたものである。
【考案の効果】
【０００５】上記機構によれば、可搬式電動機構を手動ハンドルに係合させて可搬式電動機構により手動ハンドルを回転させることで水門扉の開閉が電動化される。
【０００６】この水門扉の開閉装置は既に設備されている機械、機構を分解することなく容易に取付が出来ることと、小さな動力で操作が可能である。
【実施例】
【０００７】電動モーターを出力の小さくて軽量なものを使用して、水門扉の手動ハンドルの直径が大きなものと、手動ハンドルの直径が小さいものを比較して実施したところ、いずれも容易に取り付けられるとともに、小さな動力で稼動することが出来た。
【図面の簡単な説明】
【０００８】
【図１】本考案の可搬式電動機構を水門扉に取り付けた実施例の断面図である。本考案の可搬式電動機構を備えた水門扉の開閉装置は、１ベースプレート、２電動モーター、３駆動プーリー、４伝導ベルト、５ウエイト、６操作スイッチ、から構成されており、水門扉の開閉を行なう際に、本図のとおり設置して手動ハンドルに可搬式電動機構を備えた水門扉の開閉装置を係合することで８スピンドルねじ棒が上下し、スピンドルねじ棒に取り付けられた９扉体が上下することで水門扉の開閉が行なわれる。
【符号の説明】
【０００９】１  ベースプレート
２  電動モーター
３  駆動プーリー
４  伝導ベルト
５  ウエイト
６  操作スイッチ
７  手動ハンドル
８  スピンドルねじ棒
９  扉体
【図１】
0003152341.tif 000003
(57)【要約】      （修正有）【課題】持ち運びの容易な、一つの器具で二つの機能を活用できるルーペ付きキャップオープナーを提供する。【解決手段】キャップオープナーにルーペを装着したことを特徴とする。【選択図】図１
0003152347.tif 000002
【実用新案登録請求の範囲】
【請求項１】
ペットボトル、アルミ缶飲料のキャップ栓を容易に開ける器具（キャップオープナー）にルーペが装着された持ち運び可能な簡易器具。
【考案の詳細な説明】
【技術分野】
【０００１】  本考案は持ち運び可能な、ペットボトルならびにアルミ缶飲料のキャップ栓を開ける器具にルーペを設けたルーペ付キャップオープナーに関するものである。
【背景技術】
【０００２】  従来キャップオープナーとルーペは別々になっていた。
【発明が解決しようとする課題】
【０００３】  これは次のような欠点があった。従来飲料水のキャップ栓を高齢の方が容易に開けるためにはキャップオープナーが必要であり、また小さな字を読むのにはルーペが必要であった。そのため外出時にはこれらを各々別々に持つ必要があった。よって、本考案はこのような欠点をなくすためになされたものである。
【課題を解決するための手段】
【０００４】  キャップ栓を開けるための部分と字を拡大するためのルーペの部分を一体化させたもので、本発明は以上の構成によりなる簡易器具である。
【発明の効果】
【０００５】  よって、キャップオープナーとルーペが一体になっているので、持ち運びの容易なひとつの器具で二つの機能を活用することができる。
【考案を実施するための最良の形態】
【０００６】  本考案に係わるルーペ付キャップオープナーは、図２のようにキャップ栓を開ける部分は、内部にセレーションを切ったテーパー状の穴になっており、多少のキャップ栓外径サイズ違いにも対応できるようになっている。ルーペは字を読むのに最低限の大きさを確保したものである。素材は持ち運び、破損の危険を考慮して、本体、レンズ部分とも硬質プラスチック製を利用するのが望ましい。
【図面の簡単な説明】
【０００７】
【図１】本考案に係わるルーペ付きキャップオープナーの斜視図である。
【図２】本考案に係わるルーペ付きキャップオープナーの断面図である。
【符号の説明】
【０００８】      １      キャップオープナー本体      ２      ルーペ用レンズ
【図１】
0003152347.tif 000003
【図２】
0003152347.tif 000004
(57)【要約】      （修正有）【課題】いんきんたむしを防止するふんどしを提供する。【解決手段】前面に穴を開けた男性用下着のトランクス内に、さらしを縫い合わせて股と陰部の密着を防いだ、いんきんたむし防止ふんどし。トランクスの前面に穴１を開け、さらし２をウエストゴム後部内に縫い付け、そのまま陰部を包み込むように折り返し、ウエストゴム前部に切れ目３を入れ、そこへさらし２の先端を通して前に垂らす。【選択図】図１
0003152350.tif 000002
【実用新案登録請求の範囲】
【請求項１】
前面に穴を開けた下着のトランクス内のウエストゴム後部に、サラシの先端を縫い付け、そのまま陰部を包み込むように前に折り返し、その折り返し部分をウエストのゴム前部に切れ目を入れたところへ通して前に垂らす、いんきんを防止することを特徴としたふんどし。
【考案の詳細な説明】
【背景技術】
【０００１】  現在の男性の下着であるトランクスは、股と睾丸がくっついてしまい、いんきんたむしの原因となります。
【考案を実施するための最良の形態】
【０００２】  トランクスの前面に穴１を開け、さらしをウエストゴム後部内に縫い付け２、そのまま陰部を包み込むように前に折り返し、ウエストゴム前部に切れ目３を入れ、そこへさらしの先端を通して前に垂らす。
【図面の簡単な説明】
【０００３】
【図１】本考案にかかるふんどしの前面図
【図２】本考案にかかるふんどしの側面図
【符号の説明】
【０００４】    ふんどし                                          １０
トランクス前面の穴                                  １
ウエストゴム後部内に縫い付けたさらし                ２
ウエストゴム前部の切れ目                            ３
ウエストゴム前部の切れ目を通るさらし                ４
【図１】
0003152350.tif 000003
【図２】
0003152350.tif 000004
(57)【要約】      （修正有）【課題】装飾体のふらつきなくし、紐による締めつけを軽減させた透明シリコン紐指輪を提供する。【解決手段】１本の透明シリコンゴム紐を取付体と装飾体の挿入孔に順番にらせん状に２重に通し、透明シリコンゴム紐の両端の結び目が取付体内部に格納されている指輪であって、取付体の内部に結び目が接着剤により固定されている事を特徴とする。【選択図】図１
0003152306.tif 000002
【実用新案登録請求の範囲】
【請求項１】
１本の透明シリコンゴム紐を取付体と装飾体の挿入孔に順番にらせん状に２重に通し、透明シリコンゴム紐の両端の結び目が取付体内部に格納されている指輪であって、取付体の内部に結び目が接着剤により固定されている事を特徴とする。
【考案の詳細な説明】
【技術分野】
【０００１】  本考案は、１本の透明シリコンゴム紐を取付体と装飾体に順番にらせん状に２重に通し、その透明シリコンゴム紐の両端の結び目を取付体内部に格納固定できる取付体と装飾体からなる透明シリコンゴム紐指輪に関する。
【背景技術】
【０００２】輪ゴム状の透明シリコンゴム紐に装飾体をつけた指輪が知られている。
【考案の概要】
【考案が解決しようとする課題】
【０００３】従来の輪ゴム状の透明シリコンゴム紐に装飾体をつけた指輪は装飾体の固定が悪く、ふらつきがあると同時に、装飾体のサイズが限られる事で、デザインも限られていた。また、輪ゴム状の透明シリコンゴム紐の締めつけが欠点であった。【０００４】従来の透明シリコンゴム紐指輪の装飾体のふらつきをなくし、紐による絞めつけを軽減させる。
【課題を解決するための手段】
【０００５】１本の透明シリコンゴム紐をらせん状に２重に装飾体に取付け、尚且つ、らせん状に２重に使用した透明シリコンゴム紐の輪の大きさは自由に変えることができるよう、透明シリコンゴム紐の両端以外は固定しない。
【考案の効果】
【０００６】装飾体の安定感が良くなり、デザインの幅が広がる。また、１本でつながったらせん状の固定されていない透明シリコンゴム紐が個人差のある指のサイズに対応でき、締めつけ感が軽減され、付け心地が良いものとなった。
【図面の簡単な説明】
【０００７】
【図１】本考案による透明シリコンゴム紐指輪の製造における工程図である。
【図２】本考案の透明シリコンゴム紐指輪の取付体の立体図面である。
【考案を実施するための形態】
【０００８】図１のように、指輪１０は透明シリコンゴム紐１１に取り付けられている取付体１２と装飾体１３を有している。透明シリコンゴム紐１１の一端アを取付体１２の挿入孔ＡＢに通し、Ｂから出た透明シリコンゴム紐１１の一端に結び目を作り挿入孔ＡＢに取付ける。透明シリコンゴム紐の他端イを装飾体１３の挿入孔ＧＨ、取付体１２の挿入孔ＤＣ、装飾体１３の挿入孔ＩＪ、取付体１２の挿入孔ＦＥに通し他端イに結び目を作り挿入孔ＦＥに取り付ける。取付体１２の挿入孔ＡＢとＦＥには接着剤が塗布される。挿入孔ＤＣは接着剤で固定しないものとする。
【０００９】図２の取付体１２の形状は、内部に丸管２個・筒状管１個が収納固定されており、透明シリコンゴム紐の結び目を格納するスペースがあり、外側から結び目が見えないので、デザイン性に優れている。
【実施例】
【００１０】本考案は、透明シリコンゴム紐の伸縮性により、常に力がかかる足の指輪に適している。
【図１】
0003152306.tif 000003
【図２】
0003152306.tif 000004
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
1本の透明シリコンゴム紐を取付体と装飾体の挿入孔に順番にらせん状に2重に通し、透明シリコンゴム紐の両端の結び目が取付体内部に格納されている指輪であって、取付体の内部に結び目が接着剤により固定されている事を特徴とする指輪。
(57)【要約】      （修正有）【課題】音の発生を最小限にし、後ろに置いて引いて運ぶことにより幅広く場所を取り他人の足をひいたり、通行人がつまずいて転倒する事故を防ぐキャリーバッグを提供する。【解決手段】幅を狭く縦長にし、自分の体側に沿わせて歩るく事で他人に迷惑をかけなくなり場所も取らない。また、消音効果をはかるために車輪の素材はゴムのタイヤにしその直径は５センチ以内にする。【選択図】図１
0003152308.tif 000002
【実用新案登録請求の範囲】
【請求項１】
道路舗装材によってはキャリーバッグ使用時の音が大きく騒音にちかいものになることがある。まず音を小さくする。
そして引いて運ぶことにより通行人を引っ掛けたり、バッグにつまずき転倒する事故も起きている事から、これを防ぐため使用者の脇に保ち平行方向にのみ動くキャリーバッグを考案した。
【考案の詳細な説明】
【考案が解決しようとする課題】
【０００１】最近の道路舗装はアスファルトの粒が荒くそのためキャリーバッグの音が大きく周囲に気を使います。また車輪の素材も固いゴムが使われていていっそう音を大きくしています。
さらに一般に普及している引いて運ぶキャリーバッグは通行人を引っ掛けたり、気付かずにバッグにつまずいて転倒する事故が起きている。
【課題を解決するための手段】
【０００２】キャリーバッグ使用時の音を出来るだけ押さえるためにゴムタイヤを利用し、車輪の直径は５センチ以内におさめる。
また車輪の動きは使用者の進行方向のみに固定し、使用者は自分に平行に沿って使用する。
【考案の効果】
【０００３】直径５センチ以内のゴムタイヤの車輪により音を押さえる事が出来る。
また自分の脇側に保って平行に運ぶことにより、後方に場所をとらず他人が気づかずにつまずくことを防ぐ事が出来る。
【図面の簡単な説明】
【０００４】
【図１】キャリーバッグの正面図。矢印は進行方向。取手は上下に伸縮する。左右どちらに持っても前進する。使用者に沿って動く。
【図２】荷台部分（側面図）  形は幅が狭く縦に長い。
【図３】底部分図。四輪の車軸をつける。矢印は車輪の進行方向を示す。
【図１】
0003152308.tif 000003
【図２】
0003152308.tif 000004
【図３】
0003152308.tif 000005
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
キャリーバッグの荷台部分を長方形にして長い面の一方を立ち上げ取手としその取手を上下に伸縮調整出来る様にし、車輪は取手と平行に荷台部分に固定し前進又は後退のみに制限し  車輪はゴムの素材の配合により消音の物を用い  車輪は直径５ｃｍ以内の４輪とした事を特徴としたキャリーバッグ。
【手続補正２】
【補正対象書類名】明細書
【補正対象項目名】全文
【補正方法】変更
【補正の内容】
【考案の詳細な説明】
【考案が解決しようとする課題】
【０００１】最近の道路アスファルトの粒が粗くそのためキャリーバックの音が大きく騒音に近い物になる事が有り気を使います又車輪の素材も固いゴムが使われているため、いっそう音を大きくしています  そのために車輪の素材を出来るだけ車のタイヤに近いゴムの配合にして消音にしたい、さらに一般に普及しているキャリアバックは後ろから長く引っ張るため通行人の足を踏むことがあり又バックに接触して転倒する事故が起きています、４輪で向きが変わるキャリアバックも有りますが音が大きいので側溝の蓋の上のコンクリートの上を通りますが電柱や生け垣が出ていて通るに不便です  そこで体の後ろから２輪を引くのではなく体に沿わせて場所を取らないで並んで歩ける様に車輪と取手部分を平行に固定したバックです、この持ち方は、荷物を運ぶ時は軽くもなるのです。
【課題を解決するための手段】
【０００２】キャリーバック使用時の音を出来るだけ押さえる為のゴムタイヤを利用し  車輪を直径５ｃｍ以内の４輪とする又車輪の動きは使用者の脇に沿わせて進行方向のみに固定する事で場所を取らない  バックで、人に危害を与えない。
【考案の効果】
【０００３】直径５ｃｍ以内のゴムタイヤの素材を変える事で音を押さえる事が出きる又自分の脇に沿って平行に運ぶ事により後方に場所を取らない他人の足を踏む事もなく、つまずく事を防ぐ事が出来る  迷惑防止騒音防止となる。
【図面の簡単な説明】
【０００４】
【図１】キャリーバックの正面  取手は上下に伸縮する  ファスナー付きの蓋を着ける  車輪は取手と平行に固定しているので矢印の方向のみに前進する
【図２】バッグを取りのぞいた荷台部分  形は長方形、長い面の一方を立ち上げ取手とし取手の脇で上下に伸縮調整出来る様にする（１−２）車輪は取手と平行に固定し矢印の方向にのみ前進する。
【図３】キャリーバッグの底部分図  形は長方形で長い面に車輪を固定又は車軸を着ける  矢印は車輪の進行方向を示す  消音タイヤである事。
【手続補正３】
【補正対象書類名】図面
【補正対象項目名】図２
【補正方法】変更
【補正の内容】
【図２】
0003152308.tif 000006
(57)【要約】      （修正有）【課題】後部座席における各座席専用のシートベルト着用を間違えず容易にできるようにするシートベルトを提供する。【解決手段】後部座席において隣接する座席のシートベルト部及びバックル部を他席のものと色違いにして、他の座席専用と識別できるシートベル部及びバックル部とする。識別されたシートベルト部とバックル部は同一色にすることで正しい装着が明確化する。識別化する為の色はインテリアに合った色にする。【選択図】図１
0003152305.tif 000002
【実用新案登録請求の範囲】
【請求項１】
後部座席において隣接する座席のシートベルト部及びバックル部を他席のものと色違いにして、他の座席専用と識別できるシートベル部及びバックル部とする。識別されたシートベルト部とバックル部は同一色とする。
【考案の詳細な説明】
【技術分野】
【０００１】  本考案は、後部座席の専用シートベルトに関するものである。
【背景技術】
【０００２】  現状、自動車におけるシートベルトは各座席専用になっており、そして同一色である。道路交通法第７１条第３項「後部座席シートベルト着用の義務付け」
【考案の概要】
【考案が解決しようとする課題】
【０００３】  自動車用後部座席シートベルト部及びバックル部は全席同一色で同じである。よって隣接した座席に着席し、ベルト着用する際、どれを使用したらよいか判断つきにくい。
【課題を解決するための手段】
【０００４】  隣接する席のシートベルト部及びバックル部の色を識別する。そしてシートベルト部とバックル部の色は同一色とする。
【考案の効果】
【０００５】  後部座席における各座席専用のシートベルト着用を間違えず容易にできるようになる。正しい着用により安全性を確保できる。
【図面の簡単な説明】
【０００６】
【図１】本考案の識別化例を示す図。斜線部は同一色とする。
【符号の説明】
【０００７】  １  後部座席
２  中央席のシートベルト部
３  中央席のバックル部
４  左側席のシートベルト部
５  左側席のバックル部
６  右側席のシートベルト部
７  右側席のバックル部
【図１】
0003152305.tif 000003
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
後部座席において、隣接する座席のシートベルトと対のバックル部を同一色とし、他席のものと色違いにして、他席専用と識別できるシートベルト。
(57)【要約】      （修正有）【課題】雄雌の刃物を有する抜き型において、長期稼動により磨り減った刃を再生させる方法として、刃の周辺をハンマ−で打撃し、塑性変形させた組織を刃側に押し込む事で磨り減った刃をせり出させる、叩き出しと称呼するハンマ−の扱いに高い熟練度を要する作業を簡易化させる工具を提供する。【解決手段】打撃を加えて刃をせり出させる作業の際、ハンマーに介して使用する長方形の合金を４面から先細りにすぼめた先端を打ち付け先とし、せり出させる刃にあてがう薄い鋼板を側面に取り付け、刃の形状にならい適正な位置にかまえる機能を付加した。【選択図】図１
0003152307.tif 000002
【実用新案登録請求の範囲】
【請求項１】
雄雌の刃物を有する抜き型において、長期稼動により磨り減った刃を再生させる方法として、刃の周辺をハンマ−で打撃し、塑性変形させた組織を刃側に押し込む事で磨り減った刃をせり出させる、叩き出しと称呼するハンマ−の扱いに高い熟練度を要する作業を簡易化させる工具であり、修正する刃の形状により適切な物に交換でき、刃の輪郭形状に沿ってならう事のできる、ならい板を抱かせる事で適正位置を正確に叩く事ができるように工夫したポンチを叩き出しジグと名称づけ、客先への販売を視野に入れ、実用新案権の取得をしたく、申請申し上げます
【考案の詳細な説明】
【技術分野】
【０００１】  本件は、雄雌の刃物を有する抜き型において、磨耗して擦り減った刃の周辺に塑性変形を起す程度の打撃を加え、組織を刃先に追い込む事で、刃をせり出させて修正する、叩き出しと称呼する作業用の工具に係わるものである。
【背景技術】
【０００２】  組み込んだ部品の抜け防止などに、局部的に打撃を加えた部分の組織を強制的にせり出させて密着度を高める、かしめ止めという方法があり、この作業にはポンチやタガネといった専用性のある工具が用いられるが、本件のように磨り減った刃をせり出させるための、専用工具の存在は確認できない。【０００３】  従来、叩き出しに使用する工具は市販のハンマ−を用いるが、振り下ろすハンマ−で正確に適正個所を叩けるようになるまでに習熟期間を要する事を考えると、これは専用工具と呼び難いと考えられる。
【考案の開示】
【考案が解決しようとする課題】
【０００４】  従来行なわれているハンマ−による叩き出し作業は、作業者の熟練度より作業時間、仕上がりの優劣においても差が出る物であり、品質の平均化を計る上では、熟練度に左右され無い作業が可能となる方法を開発する必要があった。
【課題を解決するための手段】
【０００５】  修正する部分の刃の輪郭を沿わせるためのならい板を作製し、これにポンチを抱き合わせた工具を作製、この工具をハンマ−に介す事で適正位置を叩く事を可能とした。【０００６】  ならい板に抱き合わせるポンチは、ならい板を安定して取り付けられるよう長方形である事、重量が軽過ぎる事で刃に沿えた時に不安定にならない事、ならい板を沿えた状態で打ち付け先が修正する刃先から３ｍｍ離れた叩き出しに最適な位置を叩け、且つ均等に荷重をかけられるよう先端を先細りにする事、打ち付ける刃の硬度に負けないよう、焼き入れ処理を施し、安定した硬度の得られる素材とする事、を考慮して作製する。【０００７】  以上の工夫をして作製した本工具は、作業経験の少ない者にとっても使い勝手の良い物となり、これを叩き出しジグと名称づけた。
【考案の効果】
【０００８】  熟練を問わない作業が可能となった上、従来のハンマ−に比して集中荷重がかけられるようになった事で、打撃を加えた部分の塑性が変形する深さが増し、修正後の刃の寿命が延びるという効果を得る結果となった。
【考案を実施するための最良の形態】
【０００９】  ならい板は、沿わせる刃を傷つけないように硬度の低い素材で作製し、劣化した際には交換できるように、ポンチへの取り付けをボルト止めとしているが、これはつまり、ならい板の形状は幾種にも自由に作り交換できるという事であり、修正する刃の形状に適切な工夫をしたならい板をその都度作製する事が実施するための最良の形態であると認識する。【００１０】  ［０００６］に記した、雌刃より適正に離れた距離とは、修正する部分の刃先より３ｍｍとして叩き出しジグの作製をするが、この寸法は客先の使い勝手から、希望される寸法で作製する事も可能とする。
【実施例】  本件の実施例を図面１に基づいて説明する。凹型の雌刃（３）の内面に、ならい板（２）を沿わせる事で、ポンチ（１）の打ち付け先は、雌刃より適正に離れた距離に直立し、この状態でポンチ（１）をハンマ−（４）で叩く事で、簡易的に正確な位置を叩く事が可能となる。
【図面の簡単な説明】
【００１１】
【図１】叩き出しジグを介し、雌刃の修正部分をハンマ−で叩こうとしている状態図。
【図２】叩き出しジグをならい板側から見た図面。
【図３】叩き出しジグを打ち付け先側から見た図面
【符号の説明】
【００１２】１  ポンチ
２  ならい板
３  雌刃
４  ハンマ−
【図１】
0003152307.tif 000003
【図２】
0003152307.tif 000004
【図３】
0003152307.tif 000005
【手続補正書】
【提出日】平成21年4月28日(2009.4.28)
【手続補正１】
【補正対象書類名】実用新案登録請求の範囲
【補正対象項目名】請求項１
【補正方法】変更
【補正の内容】
【請求項１】
打撃を加えて刃をせり出させる作業の際、ハンマ−に介して使用する長方形の合金を４面から先細りにすぼめた先端を打ち付け先とした工具であり、これに、せり出させる刃にあてがう薄い鋼板を側面に取り付け、刃の形状にならい適正な位置にかまえる機能を付加した工具。